(57)【要約】      （修正有）【課題】迅速に組み立てられるベルトバックルを提供する。【解決手段】ベルトバックル部品１がフロントパネルと、一端がフロントパネルにヒンジ接合されるリアパネルとを備え、フロントパネルが外へ延出し突出して連結ブロックを形成しており、連結ブロックの上端に取付孔が設けられており、連結ベース２の内部にスイッチボタン３と、摺動可能なロックブロックとが取り付けられており、ロックブロックのロック部が連結ブロックの取付孔を貫通して連結ブロックを連結ベースに取り付け、スイッチボタンが前記ロックブロックを押さえロック部を連結ブロックの取付孔から脱離させることに用いられ、ロックブロックと連結ベースとの間に、復帰するための弾性部品が取り付けられており、前記弾性部品が常にロックブロックにスイッチボタンに向かう圧力を提供する。【選択図】図１
0003225592.tif 000002
【実用新案登録請求の範囲】
【請求項１】
ベルトバックル部品と、ベルトバックル部品に嵌合される連結ベースとを備える迅速に組み立てられるベルトバックルであって、前記ベルトバックル部品がフロントパネルと、一端がフロントパネルにヒンジ接合されるリアパネルとを備え、前記フロントパネルが外へ延出し突出して連結ブロックを形成しており、前記連結ブロックの上端に取付孔が設けられており、前記連結ベースの内部にスイッチボタンと、摺動可能なロックブロックとが取り付けられており、前記ロックブロックのロック部が前記連結ブロックの取付孔を貫通して連結ブロックを連結ベースに取り付け、前記スイッチボタンが前記ロックブロックを押さえ前記ロック部を前記連結ブロックの取付孔から脱離させることに用いられ、前記ロックブロックと連結ベースとの間に、復帰するための弾性部品が取り付けられており、前記弾性部品が常に前記ロックブロックに前記スイッチボタンに向かう圧力を提供することを特徴とする、迅速に組み立てられるベルトバックル。
【請求項２】
前記連結ベースが底部に沿い上へ凹んで連結ブロックの位置規制溝を形成しており、前記連結ブロックが摺動して前記連結ブロックの位置規制溝に入り、取付孔に前記ロックブロックのロック部を貫通させることを特徴とする、請求項１に記載の迅速に組み立てられるベルトバックル。
【請求項３】
前記フロントパネルがリアパネルの一端にヒンジ接合され、前記フロントパネルの他端にバックルが設けられており、前記リアパネルの他端に前記バックルに嵌合される係合溝が設けられていることを特徴とする、請求項１に記載の迅速に組み立てられるベルトバックル。
【請求項４】
前記フロントパネルと前記バックルとの接合部に位置規制部が突出し形成されており、前記バックルの表面に前記位置規制部に嵌合される開き位置規制溝と、閉じ位置規制溝とが設けられていることを特徴とする、請求項３に記載の迅速に組み立てられるベルトバックル。
【請求項５】
前記連結ベースの表面に設備取付スルーホールが設けられていることを特徴とする、請求項１に記載の迅速に組み立てられるベルトバックル。
【請求項６】
前記連結ベースに、ロック部が置かれる取付溝と、取付溝に嵌合される裏カバープレートとが設けられており、前記ロックブロックの両側に弾性部品取付溝が設けられており、前記弾性部品が裏カバープレートとロックブロックに当接されることを特徴とする、請求項１に記載の迅速に組み立てられるベルトバックル。
【請求項７】
ベルトバックル前記取付溝と連結ベースとの間に、スイッチボタンが置かれるボタン取付孔が設けられていることを特徴とする、請求項６に記載の迅速に組み立てられるベルトバックル。
【考案の詳細な説明】
【技術分野】
【０００１】
本願は、ベルトバックルに関し、特に迅速に組み立てられるベルトバックルに関する。
【背景技術】
【０００２】
従来技術では、作業者は特定の仕事に従事する中で、多くの工具を使う必要があるが、作業過程で携帯しにくくなる。通常、仲間と連携して所要の工具を交換する必要があり、仕事の進度を緩め、時間や労力を費やす。本考案に係る速やかに組み立てられるベルトバックルは、連結ベースを介して各種の所要の工具を置き、速やかに組み立てることができる。
【考案の概要】
【０００３】
本考案の目的は、従来技術中の欠点を克服するように、迅速に組み立てられるベルトバックルを提供することである。
【０００４】
上記目的を実現するために、本考案は下記の技術的手段を提供する。本願の実施の態様では、ベルトバックル部品と、ベルトバックル部品に嵌合される連結ベースとを備える迅速に組み立てられるベルトバックルであって、前記ベルトバックル部品がフロントパネルと、一端がフロントパネルにヒンジ接合されるリアパネルとを備え、前記フロントパネルが外へ延出し突出して連結ブロックを形成しており、前記連結ブロックの上端に取付孔が設けられており、前記連結ベースの内部にスイッチボタンと、摺動可能なロックブロックとが取り付けられており、前記ロックブロックのロック部が前記連結ブロックの取付孔を貫通して連結ブロックを連結ベースに取り付け、前記スイッチボタンが前記ロックブロックを押さえ前記ロック部を前記連結ブロックの取付孔から脱離させることに用いられ、前記ロックブロックと連結ベースとの間に、復帰するための弾性部品が取り付けられており、前記弾性部品が常に前記ロックブロックに前記スイッチボタンに向かう圧力を提供する迅速に組み立てられるベルトバックルが開示される。
【０００５】
好ましくは、前記連結ベースが底部に沿い上へ凹んで連結ブロックの位置規制溝を形成しており、前記連結ブロックが摺動して前記連結ブロックの位置規制溝に入り、取付孔に前記ロックブロックのロック部を貫通させる。
【０００６】
好ましくは、前記フロントパネルがリアパネルの一端にヒンジ接合され、前記フロントパネルの他端にバックルが設けられており、前記リアパネルの他端に前記バックルに嵌合される係合溝が設けられている。
【０００７】
好ましくは、前記フロントパネルと前記バックルとの接合部に位置規制部が突出し形成されており、前記バックルの表面に前記位置規制部に嵌合される開き位置規制溝と、閉じ位置規制溝とが設けられている。
【０００８】
好ましくは、前記連結ベースの表面に設備取付スルーホールが設けられている。
【０００９】
好ましくは、前記連結ベースに、ロック部が置かれる取付溝と、取付溝に嵌合される裏カバープレートとが設けられており、前記ロックブロックの両側に弾性部品取付溝が設けられており、前記弾性部品が裏カバープレートとロックブロックに当接される。
【００１０】
好ましくは、前記取付溝と連結ベースとの間に、スイッチボタンが置かれるボタン取付孔が設けられている。
【００１１】
従来技術に比べ、本願に係る迅速に組み立てられるベルトバックルは連結ベースと連結ブロックを介してベルトバックルの迅速な装着が実現され、同時に連結ベースは複数種類の工具とマッチすることができ、各種の作業環境に広く用いられ得る。
【図面の簡単な説明】
【００１２】
本願の実施の態様又は従来技術中の技術的手段をより明確に説明するために、以下に実施の態様又は従来技術の記述に用いる必要がある添付図面を簡単に説明する。明らかに、後述する添付図面は本願に記載の幾つかの実施の態様に過ぎず、当業者は、創造的労働をすることなく、さらにこれらの添付図面に基づき他の添付図面を得ることができる。
【００１３】
【図１】本考案の具体的な実施の態様における迅速に組み立てられるベルトバックルの概略構成図である。
【図２】本考案の具体的な実施の態様における迅速に組み立てられるベルトバックルのフロントパネルの概略構成図である。
【図３】本考案の具体的な実施の態様における迅速に組み立てられるベルトバックルのリアパネルの概略構成図である。
【図４】本考案の具体的な実施の態様における迅速に組み立てられるベルトバックルのバックルの概略構成図である。
【図５】本考案の具体的な実施の態様における迅速に組み立てられるベルトバックルの連結ベースの概略構成図である。
【図６】本考案の具体的な実施の態様における迅速に組み立てられるベルトバックルのボタンとロック部の概略構成図である。
【図７】本考案の具体的な実施の態様における迅速に組み立てられるベルトバックルの背面図である。
【図８】本考案の具体的な実施の態様における迅速に組み立てられるベルトバックルのＣ−Ｃ方向断面図である。
【考案を実施するための形態】
【００１４】
以下に本考案の実施の態様中の添付図面を参照しながら、本考案の実施の態様中の技術的手段を詳細に説明する。勿論、説明される実施の態様は本考案の全ての実施の態様ではなく、一部のものに過ぎない。本考案中の実施の態様に基づき、当業者が創造的労働をすることなく、得られた全ての他の実施の態様は、何れも本考案の保護範囲に属するものである。
【００１５】
図１〜４に示すように、本願に係る迅速に組み立てられるベルトバックルは、ベルトバックル部品１と、ベルトバックル部品１に嵌合される連結ベース２とを備える。ベルトバックル部品１は、フロントパネル１０１と、一端がフロントパネルにヒンジ接合されるリアパネル１０２とを備え、フロントパネル１０１が外へ延出し突出して連結ブロック１０３を形成しており、連結ブロックの上端に取付孔１１０が設けられており、フロントパネル１０１の他端にバックル１０５が設けられており、リアパネル１０２の他端に、バックル１０５に嵌合される係合溝１０９が設けられている。フロントパネル１０１は、リアパネル１０２の一端にヒンジ接合され、他端にバックル１０５を介して閉ループ式ベルトバックル部品１が連結形成され、ベルトに強固に固定され得る。フロントパネル１０１とバックル１０５との接合部に位置規制部１０４が突出し形成されており、バックル１０５の表面に、位置規制部１０４に嵌合される開き位置規制溝１０６と、閉じ位置規制溝１０７とが設けられている。バックル１０５が外へ突出してボタン１０８を形成している。ボタン１０８を動かして位置規制部１０４を開き位置規制溝１０６から閉じ位置規制溝１０７まで移動させ、同時にバックル１０５と係合溝１０９とを動かして係合させ、ベルトバックル部品１をベルトに固定する。ボタン１０８を動かして位置規制部１０４を閉じ位置規制溝１０７から開き位置規制溝１０６まで移動させ、同時にバックル１０５と係合溝１０９とを動かして分離させ、ベルトバックル部品１０１をベルトから外す。
【００１６】
図５〜６に示すように、連結ベース２の内部にスイッチボタン３と、摺動可能なロックブロック４とが取り付けられており、ロックブロック４のロック部４０１が連結ブロック１０３の取付孔１１０を貫通して連結ブロック１０３を連結ベース２に取り付ける。連結ブロック１０３における取付孔１１０と連結ベース２のロックブロックを介して、ベルトバックル部品１と連結ベース２とを連結させる。スイッチボタン３はロックブロック４を押さえロック部４０１を連結ブロック１０３の取付孔１１０から脱離させることに用いられる。ロックブロック４と連結ベース２との間に、復帰するためのばねが取り付けられており、ばねは常にロックブロック４にスイッチボタン３に向かう圧力を提供する。連結ベース２は底部に沿い上へ凹んで連結ブロックの位置規制溝２０５を形成しており、連結ブロック１０３が摺動して連結ブロックの位置規制溝２０５に入り、取付孔１１０にロックブロック４のロック部４０１を貫通させる。連結ブロックの位置規制溝２０５を介して連結ブロック１０３と連結ベース２とを素早く連結させ、迅速な組み立てを実現することができる。
【００１７】
連結ベース２の表面に設備取付スルーホールが設けられている。設備取付スルーホールは複数種類の工具を固定することができる。例えば、工具袋を連結ベース２に固定し取り付け、作業しやすくなるようにベルトバックル部品１を介して腰に置き、同時に空間を節約することができる。
【００１８】
スイッチボタン３とロックブロック４は固定連結されるスイッチボタン組立品である。連結ベース２には、ロック部が置かれる取付溝２０６と、取付溝２０６に嵌合される裏カバープレート２０４とが設けられており、裏カバープレート２０４がネジを介して連結ベース２に固定され取り付けられる。ロックブロック４０１の両側にばね取付溝４０２が設けられており、ばねがばね取付溝４０２に置かれて裏カバープレート２０４に当接される。取付溝２０６と連結ベースとの間に、スイッチボタンが置かれるボタン取付孔２０２が設けられている。連結ベース２を組立てる場合、スイッチボタン組立品をロック部の取付溝２０６に入れ、スイッチボタン３をボタン取付孔２０２から連結ベースの表面に移動させ、ばね取付溝４０２にばねを置き、ネジで裏カバープレート２０４を連結ベース２に固定して、ばねを裏カバープレート２０４に当接させ、ロック部１０４にスイッチボタン３に向かう力を提供する。
【００１９】
以上をまとめると、本願に係る迅速に組み立てられるベルトバックルは連結ベースと連結ブロックを介してベルトバックルの迅速な装着が実現され、同時に連結ベースは複数種類の工具とマッチすることができ、各種の作業環境に広く用いられ得る。
【００２０】
なお、本明細書において、例えば、第１と第２等のような関係用語は、１つの実体又は操作を別の実体又は操作と区別させるためのものであり、必ずしもこれらの実体又は操作間に、任意のこのような実際の関係又は順番があると要求又は示唆するものではない。そして、用語「含む」、「含有する」又は任意の他の変形は、非排他的包含を含むものであることで、一連の要素を含むプロセス、方法、製品又はデバイスは、それらの要素を含むだけでなく、明確に列挙されていない他の要素も含み、又はそのようなプロセス、方法、製品又はデバイスに固有する要素をさらに含む。それ以上制限されていない場合、「を１つ含む」によって限定される要素について、前記要素を含むプロセス、方法、製品又はデバイスに、また別の同じ要素があることを除外しない。
【００２１】
上述したのは本願の具体的な実施の態様に過ぎない。なお、当業者は本願の旨を逸脱することなく、さらに幾つかの改善と変形を行うことができ、これらの改善と変形も本願の保護範囲に入るものとする。
【図１】
0003225592.tif 000003
【図２】
0003225592.tif 000004
【図３】
0003225592.tif 000005
【図４】
0003225592.tif 000006
【図５】
0003225592.tif 000007
【図６】
0003225592.tif 000008
【図７】
0003225592.tif 000009
【図８】
0003225592.tif 000010